(57)【特許請求の範囲】
【請求項１】
本体内に設けた加熱室と、加熱室内を高周波加熱する高周波加熱装置と、加熱室内の空気を上げる電熱加熱装置と、加熱室内の空気を換気する吸排気口と、加熱室外に設け加熱室内に外気を吸引する冷却ファン及び駆動モータと、本体前面であって加熱室吸気口より上位に透明部を設けた操作シート及び操作パネルと、表示管を搭載した操作基板とを備え、前記操作シートは前記表示管の表示部と対向する透明部裏側にくもり防止の透明印刷を施すとともに、前記操作シート裏側の前記曇り防止印刷以外の部分に、前記くもり防止の透明印刷後、意匠印刷を施した加熱調理器。
【発明の詳細な説明】
【０００１】
【発明の属する技術分野】
本発明は、加熱調理器に使用される操作シートの透明表示部に関するものである。
【０００２】
【従来の技術】
図５は、従来、加熱調理器の操作シート透明部分のくもり防止として行われている操作部構成を示す断面図である。
【０００３】
図５において、１は操作パネル、２は操作シート、３は操作基板、４は表示管、５は表示管表示部、６は制御基板、７はクッションゴムである。
【０００４】
【発明が解決しようとする課題】
しかしながら、前記従来の構成では、操作パネルと表示管の間にクッションゴムを介在させる構成なので、操作シート透明部からクッションゴムが見えやすいため、操作示シート透明部及び表示管表示部を小さくしなければならないという課題を有していた。
【０００５】
本発明は、前記従来の課題を解決するもので、操作シートの透明部裏側にくもり防止印刷を施し、くもりの生じない加熱調理器の操作シートを提供し、表示管表示部を大きく見やすくすることを目的とする。
【０００６】
【課題を解決するための手段】
前記従来の課題を解決するために、本発明の加熱調理器の操作シートは、操作シートの透明部自身に裏側より、くもり防止印刷をしたものである。
【０００７】
これによって、操作パネルと表示管の間に介在する物がないため、操作シート透明部及び表示管表示部を大きく出来、より見やすい操作部にするものである。
【０００８】
【発明の実施の形態】
請求項１に記載の発明は、本体内に設けた加熱室と、加熱室内を高周波加熱する高周波加熱装置と、加熱室内の空気を上げる電熱加熱装置と、加熱室内の空気を換気する吸排気口と、加熱室外に設け加熱室内に外気を吸引する冷却ファン及び駆動モータと、本体前面であって加熱室吸気口より上位に透明部を設けた操作シート及び操作パネルと、表示管を搭載した操作基板とを備え、前記操作シートは前記表示管の表示部と対向する透明部裏側にくもり防止の透明印刷を施すとともに、前記操作シート裏側の前記曇り防止印刷以外の部分に、前記くもり防止の透明印刷後、意匠印刷を施した構成としてあり、操作シート透明部及び表示管表示部を大きくすることが可能となり、より見やすい操作シートにすることができる。
【０００９】
また、操作シートその透明部裏側にくもり防止の透明印刷を施し、このくもり防止の透明印刷後に意匠印刷を施したことにより、意匠印刷より先に印刷することから、操作シートの透明部が意匠印刷する時や荷扱い等でキズつくことを防止することができる。
【００１０】
【実施例】
以下本発明の実施例について、図面を参照しながら説明する。
【００１１】
（実施例１）
図１は、本発明の第１の実施例における加熱調理器の外観斜視図を示すものである。
【００１２】
図１において、８は被加熱物を収納する加熱室であり、９は加熱室右側壁に設けた吸気口であり、１０は加熱室後面に設けた排気口であり、高周波加熱時は本体１１外の外気を本体内に設けた冷却ファン（図示せず）及び駆動モータ（図示せず）で本体１１内に吸引し、加熱室８内に吸気口９から取り込み、排気口１０を通り本体１１外に排出される。電熱加熱の時は、加熱室内８の暖まった空気は加熱室内吸気口９及び排気口１０より本体１１外に排気される。本体１１前面右側には操作パネル１と透明部１２を有した操作シート２があり操作シート２は操作パネル１に貼付けてある。操作シート２の透明部１２は、加熱室８に設けた吸気口９より位置的に高い位置に設ける。
【００１３】
図２は、操作部の断面図である。図２において、操作パネル１に透明部１２を設けた操作シート２が貼付けられている。表示管４の表示部５は操作シート透明部１２に対向する位置に設ける。３は表示管４を搭載した操作基板であり、操作基板３の入力情報が、６の制御基板に伝達され加熱室の加熱が制御される。
【００１４】
図３は操作シート透明部を示す断面図である。図３において、操作シートの基材としては、透明性の高いフィルム（ポリエチレンテレフタレートやポリカーボネイト等）を使用し、１２は透明部であり、１３は透明部裏側に印刷されたくもり防止印刷部である。
【００１５】
以上のように構成された操作シートについて、以下にその動作、作用を説明する。
【００１６】
電熱加熱時の調理メニューには、水を調理皿に張った状態で調理するプリンなどがあり、この様な調理では調理中に水蒸気が生じ、この水蒸気は吸気口及び排気口より本体外に排出される。吸気口から排出される水蒸気の一部は吸気口より高い位置にある操作部に侵入する。操作部内に入った水蒸気は矢印（←）のように上部から下方へと自然対流によって温度の低い箇所に侵入していく。水蒸気は温度の低い物に触れると水滴となり結露する。操作シートの透明部の位置は吸気口より高い位置に設けてある為、容易に操作シートの透明部に侵入し、外気にふれている透明部に水滴が結露し表示管の表示部が見えなくなる。しかし操作シートの透明部に裏側からくもり防止印刷をすることにより、操作シートの透明部に水滴が付着しても、くもりが生じないため表示部が見えなくなるといったことがなくなる。くもり防止の原理としては、くもり防止印刷のインクの中に撥水性の高い顔料を入れることにより、くもり防止印刷部に水蒸気が付着しても、水蒸気は極小さな独立した粒となる。これにより、表示部が水蒸気で覆われないため、表示部は白くくもらない。
【００１７】
以上のように、本実施例においては操作シート透明部裏側にくもり防止印刷をすることにより、操作シート透明部に水蒸気によるくもりがなくなり、表示管表示部が視認性のよい見やすいものにすることができる。
【００１８】
また、本実施例では、操作シート透明部のくもりの改善を操作シートですることにより、操作部の構成が簡素化でき、操作シート透明部及び表示管表示部を大きくできるため、表示の内容がより大きく、見やすい物にすることができる。
【００１９】
また、本実施例の、操作シートの意匠印刷を裏側にすれば、くもり防止印刷と同じ面に印刷することになり、操作シートを製作する上で印刷面が同一面で済むため、安価な物を提供することができる。
【００２０】
（実施例２）
図４は、本発明の第２の実施例における操作シートの断面図である。図４において、１３はくもり防止印刷、１４は意匠印刷で、実施例１の構成と異なるところはくもり防止印刷１３が意匠印刷１４の内側なるように印刷した点である。なお実施例１と同一符号のものは同一構造を有し、説明は省略する。操作シート２の基材には、透明性の高いフィルムを使用するため透明性が高い分だけフィルムにキズがつきやすいし、ついたキズも目立ちやすい。
【００２１】
まず、操作シート透明部にくもり防止印刷をする。くもり防止印刷をした後に意匠印刷を行う。初めにくもり防止印刷をすることによって、操作シートの透明部はくもり防止印刷により保護された状態になり、意匠印刷時に生ずるキズやシートの移動荷扱い等によるキズを防止することが出来る。
【００２２】
また、本実施例では、表示部にくもり防止印刷を初めに印刷するため、これまで表示部にキズが生じるのを防止するためマスキング印刷をしていたが、くもり防止印刷がマスキング印刷を兼ねるため、印刷回数が増えることがないため経済性の高い操作シートにすることが出来る。
【００２３】
【発明の効果】
以上のように、発明によれば操作シート透明部に水蒸気が付着によって生ずるくもりをなくすことができ、視認性の高い表示部にすることが出来るとともに、操作シート透明部をキズのない透明度の高い経済性の優れた加熱調理器とすることが出来る。
【図面の簡単な説明】
【図１】  本発明の実施例１における加熱調理器の外観斜視図
【図２】  本発明の実施例１における操作部の断面図
【図３】  本発明の実施例１における操作シートの断面図
【図４】  本発明の実施例２における操作シートの断面図
【図５】  従来の操作部の断面図
【符号の説明】
２  操作シート
４  表示管
５  表示管表示部
１２  操作シート透明部
１３  操作シートくもり防止印刷
１４  操作シート意匠印刷
【図１】
0003951679.tif 000002
【図２】
0003951679.tif 000003
【図３】
0003951679.tif 000004
【図４】
0003951679.tif 000005
【図５】
0003951679.tif 000006